(57)【要約】      （修正有）【課題】ピロティ柱の出隅部を構成する出隅用外壁パネルのように、裏面側が閉塞されるような状況で取り付けられる出隅用外壁パネルであっても、その出入り調整を簡単に行うことができるようにする。【解決手段】出隅部40を残してその両側に配置した出隅用外壁パネル１,１のうち、一方の出隅用外壁パネル１の端部に、受け部材20の一端側を第１横ボルト36によって取り付け、他方の出隅用外壁パネル１の端部に、受け部材20の他端側を第１横ボルト36に対して直交する方向の第２横ボルト38によって取り付ける。この受け部材20に対して最後の出隅用外壁パネル１を係合させる。そして、パネル１,１間の隙間53,54から差し入れた工具によって、横ボルト36,38を回転操作してその取付位置を移動させることで、最後の出隅用外壁パネル１の出入りを調整する。【選択図】図６
2005213830.tif 000002
【特許請求の範囲】
【請求項１】
出隅部を残してその両側に配置した外壁パネル間に跨って受け部材を取り付け、この受け部材に対して出隅用外壁パネルを係合させることで、その出隅用外壁パネルを前記出隅部に取り付けるようにした出隅用外壁パネルの取付構造において、前記外壁パネルのうち一方の外壁パネルの出隅部側の端部に、前記受け部材の第１取付部を第１横ボルトによって取り付けるとともに、他方の外壁パネルの出隅部側の端部に、前記受け部材の第２取付部を前記第１横ボルトに対して直交する方向の第２横ボルトによって取り付けて、前記外壁パネルと出隅用外壁パネルとの間の隙間から差し入れた工具によって、前記第１及び／又は第２横ボルトを回転操作してその取付位置を移動させることで、前記出隅用外壁パネルの出入りを調整可能としたことを特徴とする出隅用外壁パネルの取付構造。
【請求項２】
前記出隅用外壁パネルの外表面が前記外壁パネルの外表面よりも内方へ入り込むようにして、前記出隅用外壁パネルを前記受け部材に係合させて、前記出隅用外壁パネルの出入り調整時に、前記第１及び第２横ボルトのボルト頭によって、前記出隅用外壁パネルを外方へ押し出すようにした請求項１記載の出隅用外壁パネルの取付構造。
【請求項３】
前記受け部材は、前記第１及び第２取付部を有する取付片と、この取付片に固定されて外方へ向かって突出した一対の弾性片とを備え、前記出隅用外壁パネルの一対の縦フレーム材間に前記弾性片を嵌め込むようにした請求項１又は２記載の出隅用外壁パネルの取付構造。
【請求項４】
前記一対の弾性片に、互いに近接する方向に凹んだ係合溝を設けて、前記弾性片を前記出隅用外壁パネルの縦フレーム材間に嵌め込んだときに、前記係合溝に前記縦フレーム材の係合片を係合させるようにした請求項３記載の出隅用外壁パネルの取付構造。
【請求項５】
前記一方及び他方の外壁パネルにおける出隅部側の縦フレーム材にナットを夫々固着して、前記受け部材の第１取付部を貫通させた第１横ボルトを、前記一方の外壁パネル側のナットに螺合するとともに、前記第２取付部を貫通させた第２横ボルトを、前記他方の外壁パネル側のナットに螺合した請求項１乃至４のいずれかに記載の出隅用外壁パネルの取付構造。
【請求項６】
前記出隅用外壁パネルの上端部を躯体に吊り下げ支持するとともに、下端部を前記受け部材に係合させた請求項１乃至５のいずれかに記載の出隅用外壁パネルの取付構造。
【請求項７】
前記出隅用外壁パネルは、複数の外壁パネルの囲い込みによって構築されるピロティ柱や袖壁の出隅部を構成するものである請求項１乃至６のいずれかに記載の出隅用外壁パネルの取付構造。
【発明の詳細な説明】
【技術分野】
【０００１】
この発明は、例えばピロティ柱や袖壁の出隅部を構成する出隅用外壁パネルの取付構造に関する。
【背景技術】
【０００２】
一般に、複数の出隅用外壁パネルの囲い込みによってピロティ柱を構築する場合、各出隅用外壁パネルの裏面側が近接して向かい合う状態となる。このため、特に最後に取り付ける出隅用外壁パネルにおいては、その取り付け時に裏面側が閉塞されてしまうため、裏面側でのボルトの締め付け作業等を行うことができず、取り付けが非常に煩雑になる。
【０００３】
そこで、特許文献１に開示されているように、最後の出隅用外壁パネルを取り付ける出隅部に臨むようにして、予め受け部材を取り付けておき、この受け部材に対して最後の出隅用外壁パネルを外方から押し込んで係合させることで、最後の出隅用外壁パネルを出隅部に簡単に取り付けるようにした取付構造が提案されている。
【０００４】
【特許文献１】特開平１１−３４３６９１号公報
【発明の開示】
【発明が解決しようとする課題】
【０００５】
しかしながら、上記の取付構造においては、最後の出隅用外壁パネルを簡単に取り付けることはできても、一旦取り付けてしまうと、最後の出隅用外壁パネルの出入り調整ができないといった不具合があった。
【０００６】
このため、最後の出隅用外壁パネルや受け部材に寸法誤差が生じていたり、これらの取付精度が悪い場合には、最後の出隅用外壁パネルの外表面とこれに隣接するパネルの外表面との間に凹凸が生じて、見栄えが悪くなったり、目地処理に支障をきたすといった不具合が生じることがあった。
【０００７】
この発明は、上記の不具合を解消して、裏面側が閉塞されるような状況で取り付けられる出隅用外壁パネルであっても、その出入り調整を簡単に行うことのできる出隅用外壁パネルの取付構造の提供を目的とする。
【課題を解決するための手段】
【０００８】
上記の課題を解決するため、この発明の出隅用外壁パネルの取付構造は、出隅部を残してその両側に配置した外壁パネル間に跨って受け部材を取り付け、この受け部材に対して出隅用外壁パネルを係合させることで、その出隅用外壁パネルを前記出隅部に取り付けるようにしたもので、前記外壁パネルのうち一方の外壁パネルの出隅部側の端部に、前記受け部材の第１取付部を第１横ボルトによって取り付けるとともに、他方の外壁パネルの出隅部側の端部に、前記受け部材の第２取付部を前記第１横ボルトに対して直交する方向の第２横ボルトによって取り付けて、前記外壁パネルと出隅用外壁パネルとの間の隙間から差し入れた工具によって、前記第１及び／又は第２横ボルトを回転操作してその取付位置を移動させることで、前記出隅用外壁パネルの出入りを調整可能としたことを特徴とする。
【０００９】
具体的には、前記出隅用外壁パネルの外表面が前記外壁パネルの外表面よりも内方へ入り込むようにして、前記出隅用外壁パネルを前記受け部材に係合させて、前記出隅用外壁パネルの出入り調整時に、前記第１及び第２横ボルトのボルト頭によって、前記出隅用外壁パネルを外方へ押し出すようにしている。
【００１０】
また、前記受け部材は、前記第１及び第２取付部を有する取付片と、この取付片に固定されて外方へ向かって突出した一対の弾性片とを備え、前記出隅用外壁パネルの一対の縦フレーム材間に前記弾性片を嵌め込むようにしている。
【００１１】
さらに、前記一対の弾性片に、互いに近接する方向に凹んだ係合溝を設けて、前記弾性片を前記出隅用外壁パネルの縦フレーム材間に嵌め込んだときに、前記係合溝に前記縦フレーム材の係合片を係合させるようにしている。
【００１２】
さらにまた、前記一方及び他方の外壁パネルにおける出隅部側の縦フレーム材にナットを夫々固着して、前記受け部材の第１取付部を貫通させた第１横ボルトを、前記一方の外壁パネル側のナットに螺合するとともに、前記第２取付部を貫通させた第２横ボルトを、前記他方の外壁パネル側のナットに螺合している。
【００１３】
また、前記出隅用外壁パネルの上端部を躯体に吊下げ支持するとともに、下端部を前記受け部材に係合させている。
【００１４】
そして、前記出隅用外壁パネルは、複数の外壁パネルの囲い込みによって構築されるピロティ柱や袖壁の出隅部を構成するものである。
【発明の効果】
【００１５】
この発明では、ピロティ柱の出隅部を構成する出隅用外壁パネルのように、裏面側が閉塞されるような状況で取り付けられる出隅用外壁パネルであっても、その出隅用外壁パネルとこれに隣接する外壁パネルとの間の隙間から工具を差し入れて、第１及び／又は第２横ボルトを回転操作して移動させることで、出隅用外壁パネルの出入りを簡単に調整することができる。
【００１６】
また、予め内方へ入り込むようにして受け部材に係合した出隅用外壁パネルを、第１及び第２横ボルトのボルト頭によって外方へ押し出すことで、出隅用外壁パネルの出入りを調整しているので、出隅用外壁パネルが内方へ入り込んでいるのか或いは外方へ張り出しているのかを確認した後に、その結果に応じて出隅用外壁パネルを押し出したり、引っ込めたりする場合と比べて、出入り調整に際しての作業性を向上することができる。
【００１７】
さらに、出隅用外壁パネルの一対の縦フレーム材間に、受け部材の弾性片を嵌め込むようにしているので、出隅用外壁パネルのがたつきを防止することができる。さらにまた、出隅用外壁パネル側の係合片と受け部材側の係合溝とを係合させることで、受け部材に対して出隅用外壁パネルを確実に係合させることができる。
【発明を実施するための最良の形態】
【００１８】
以下、本発明の実施形態を図面に基づいて詳細に説明する。図において、(１)は、この発明の一実施形態に係る出隅用外壁パネルであって、例えばピロティ柱(２)の出隅部を構成するものである。
【００１９】
この出隅用外壁パネル(１)は、図１及び図２に示すように、例えば軽量コンクリート等の無機質材からなる略Ｌ形のサイディング材(３)と、このサイディング材(３)の裏面側両端部に取り付けられた金属製の一対の縦フレーム材(４)(４)とからなる。
【００２０】
縦フレーム材(４)は、図３及び図４に示すように、サイディング材(３)の裏面に縦方向に沿って固定された固定片(５)と、この固定片(５)の縦方向に沿った一端部からその固定片(５)に対して略直角な方向に延びる突出片(６)とからなる。そして、突出片(６)の縦方向に沿った先端部が、固定片(５)に対向するように略直角に折り曲げられて、係合片(７)とされている。
【００２１】
また、突出片(６)には、図１に示すように、縦方向に間隔をあけて複数のボルト穴(８)(８)…が形成されている。さらに、突出片(６)の上端部には、出隅用外壁パネル(１)を梁(10)に固定するための固定金具(11)がボルト穴(８)を利用して取り付けられている。この固定金具(11)は、突出片(６)から上方に向かって突出した後にサイディング材(３)の表面側へ張り出し、その先端部にボルト穴(12)付きの水平固定片(13)が取り付けられており、この水平固定片(13)を梁(10)のフランジ下面にボルトによって固定するようになっている。なお、固定金具(11)は、ピロティ柱(２)を構成するすべての出隅用外壁パネル(１)(１)…に取り付ける必要はなく、少なくとも最後に取り付ける出隅用外壁パネル(１)に取り付けておけば良い。また、図１に示す(15)は、垂壁パネルであって、梁(10)に吊り下げ支持されている。
【００２２】
(20)は、ピロティ柱(２)を構成する出隅用外壁パネル(１)(１)…のうち、最後に取り付ける出隅コーナーパネル(１)を支持するための金属製の受け部材である。この受け部材(20)は、図４及び図５に示すように、出隅部(40)を残してその両側に先に取り付けた出隅用外壁パネル(１)(１)間に跨って取り付けられる取付片(21)と、この取付片(21)に固定されて外方に向かって突出した一対の弾性片(22)(22)とを備えている。
【００２３】
取付片(21)は、先の出隅用外壁パネル(１)(１)における出隅部(40)側の縦フレーム材(４)(４)の突出片(６)(６)…に夫々取り付けられる第１及び第２取付部(23)(23)と、これら第１及び第２取付部(23)(23)を連結する連結部(24)とを一体に形成してなる。第１及び第２取付部(23)(23)は、ともに連結部(24)に対して約４５度折り曲げられた状態となっていて、互いに直交する方向に配されている。また、第１及び第２取付部(23)(23)には、横方向に長いボルト挿入用長穴(25)(25)が形成されている。
【００２４】
弾性片(22)(22)は、その根元部分(30)(30)がＬ字形に折曲されて取付片(21)の連結部(24)にピン(31)(31)によって夫々固定され、その先端部分(32)(32)の間隔が外方に向かうにつれて狭くなっている。そして、根元部分(30)(30)と先端部分(32)(32)との間には、互いに近接する方向に凹んだ略U字形の係止溝(33)(33)が形成されている。
【００２５】
上記構成において、出隅用外壁パネル(１)(１)…を囲い込んでピロティ柱(２)を構築するには、まず図１及び図２に示すように、１つの出隅部(40)を残して、３枚の出隅用外壁パネル(１)(１)…を取り付け、これらの縦フレーム材(４)(４)…の突出片(６)(６)同士を連結ボルト(35)(35)…によって連結する。また、出隅部(40)を挟んだ出隅用外壁パネル(１)(１)の下端部は、連結金具(41)を介して基礎(42)上に立設した支柱(43)のベースプレート(44)に固定されている。なお、図中、(45)は、基礎(43)に取り付けた水切材である。
【００２６】
そして、残りの出隅部(40)の両側に先に配置した出隅用外壁パネル(１)(１)の下端部間に跨って、受け部材(20)を取り付ける。この取り付けに際しては、図６及び図７に示すように、受け部材(20)における取付片(21)の第１取付部(23)を、一方の出隅用外壁パネル(１)における出隅部(40)側の縦フレーム材(４)の突出片(６)に重ね合わせて、それらのボルト穴(８)及びボルト挿入用長穴(25)に挿通させた第１横ボルト(36)を、縦フレーム材(４)の突出片(６)の内面に溶接したナット(37)に螺合する。また、受け部材(20)における取付片(21)の第２取付部(23)を、他方の出隅用外壁パネル(１)における出隅部(40)側の縦フレーム材(４)の突出片(６)に重ね合わせて、それらのボルト穴(８)及びボルト挿入用長穴(25)に挿通させた第２横ボルト(38)を、突出片(６)の内面に溶接したナット(39)に螺合する。このとき、第１横ボルト(36)は、図６のＸ方向に沿って配されており、第２横ボルト(38)は、図６のＹ方向に沿って配されている。すなわち、これら横ボルト(36)(38)は互いに直交する方向に配されている。
【００２７】
そして、最後の出隅用外壁パネル(１)の上端部を、固定金具(11)を介して梁(10)に吊り下げ支持した状態で、その出隅用外壁パネル(１)の下端部を、出隅部(40)に臨むように取り付けた受け部材(20)に対して外方より押し込む。これにより、受け部材(20)の弾性片(22)(22)が互いに近接する方向に押し込まれながら、最後の出隅用外壁パネル(１)の縦フレーム材(４)(４)間の隙間に嵌り込み、縦フレーム材(４)(４)の係合片(７)(７)が弾性片(22)(22)の係止溝(33)(33)と一致した時点で、弾性片(22)(22)が弾性復帰して、係合片(７)(７)と係合溝(33)(33)とが係合する。
【００２８】
この最後の出隅用外壁パネル(１)を受け部材(20)に係合したときには、図６に示すように、最後の出隅用外壁パネル(１)の外表面が、先に取り付けた出隅用外壁パネル(１)(１)…の外表面よりも内方へ入り込んでいる。また、第１及び第２横ボルト(36)(38)のボルト頭(51)(52)が、出隅用外壁パネル(１)の縦フレーム材(４)(４)に夫々当接している。
【００２９】
この状態から最後の出隅用外壁パネル(１)の出入り調整を行う。すなわち、最後の出隅用外壁パネル(１)とこれに隣接する一方の出隅用外壁パネル(１)との間の隙間すなわち縦目地(53)へ外方からスパナ等の工具を差し入れ、この工具によって縦目地(53)に臨む第１横ボルト(36)のボルト頭(51)を回転操作して、第１横ボルト(36)の取付位置をＸ方向へ移動させる。これにより、第１横ボルト(36)のボルト頭(51)が、最後の出隅用外壁パネル(１)を外方すなわちＸ方向へ押し出し、最後の出隅用外壁パネル(１)が受け部材(20)に係合したままＸ方向へ移動する。このとき、受け部材(20)の第２取付部(23)は、第２横ボルト(38)と直交する方向に移動することになるが、第２横ボルト(38)は第２取付部(23)のボルト挿入用長穴(25)に挿通されているので、第２取付部(23)は長穴(25)の範囲内でＸ方向に移動することができる。なお、このように第２取付部(23)の移動を許容することができれば、長穴(25)の代わりに、例えば第２横ボルト(38)の外径よりも大きめの円穴を第２取付部(23)に形成しても良い。
【００３０】
また、最後の出隅用外壁パネル(１)とこれに隣接する他方の出隅用外壁パネル(１)との間の隙間すなわち縦目地(54)へ外方からスパナ等の工具を差し入れ、この工具によって縦目地(54)に臨んだ第２横ボルト(38)のボルト頭(52)を回転操作して、第２横ボルト(38)の取付位置をＹ方向へ移動させる。これにより、第２横ボルト(38)のボルト頭(52)が、最後の出隅用外壁パネル(１)を外方すなわちＹ方向へ押し出し、最後の出隅用外壁パネル(１)が受け部材(20)に係合したままＹ方向へ移動する。このとき、受け部材(20)の第１取付部(23)は、第１横ボルト(36)と直交する方向に移動することになるが、第１横ボルト(36)は第１取付部(23)のボルト挿入用長穴(25)に挿通されているので、第１取付部(23)は長穴(25)の範囲内でＹ方向に移動することができる。なお、このように第１取付部(23)の移動を許容することができれば、長穴(25)の代わりに、例えば第１横ボルト(36)の外径よりも大きめの円穴を第１取付部(23)に形成しても良い。
【００３１】
そして、最後の出隅用外壁パネル(１)の外表面が、隣接する出隅用外壁パネル(１)(１)の外表面に揃えられて、これら外表面が面一になった時点で、上記の出入り調整を終える。
【００３２】
なお、この発明は、上記実施形態に限定されるものではなく、例えば出隅用外壁パネルは、ピロティ柱の出隅部を構成するものだけに限らず、複数の平面用外壁パネル及び出隅用外壁パネルによって囲い込んでなる袖壁の出隅部を構成するものであっても良い。
【図面の簡単な説明】
【００３３】
【図１】この発明の一実施形態に係る出隅用外壁パネルの取付構造を示す分解斜視図である。
【図２】同じくその最後の出隅用外壁パネル取付け前の状態を示す側面図である。
【図３】同じくその要部横断面図である。
【図４】同じくその最後の出隅用外壁パネル部分の横断面図である。
【図５】受け部材の斜視図である。
【図６】出隅用外壁パネルの出入り調整途中の状態を示す要部横断面図である。
【図７】同じくその最後の出隅用外壁パネル部分の横断面図である。
【符号の説明】
【００３４】
(１)  最後の出隅用外壁パネル、一方及び他方の外壁パネル(出隅用外壁パネル)
(２)  ピロティ柱
(４)  縦フレーム材
(７)  係合片
(10)  梁(躯体)
(20)  受け部材
(21)  取付片
(22)  弾性片
(23)  第１及び第２取付部
(33)  係合溝
(36)  第１横ボルト
(37)(39)  ナット
(38)  第２横ボルト
(40)  出隅部
(51)  第１横ボルトのボルト頭
(52)  第２横ボルトのボルト頭
【図１】
2005213830.tif 000003
【図２】
2005213830.tif 000004
【図３】
2005213830.tif 000005
【図４】
2005213830.tif 000006
【図５】
2005213830.tif 000007
【図６】
2005213830.tif 000008
【図７】
2005213830.tif 000009